(57)【特許請求の範囲】
【請求項１】
扉の内部空間に固定された錠前と、該錠前に接続され該錠前の施錠を開閉する回転軸を有する接続アダプタと、前記回転軸と嵌合し、前記回転軸を電動により回転させる電動サムターンと、前記電動サムターンを保持するために、前記回転軸に貫通させ、かつ、扉の屋内側面に当接された状態で前記接続アダプタに取付けられる取付金具と、を備えた電気錠取付構造において、
前記接続アダプタは、前記扉の内部空間に固定され、
前記接続アダプタと取付金具との間であって前記扉の内部空間に、それらの取付間隔長に応じて複数枚の板スペーサを介在させ、該取付間隔長を調整したことを特徴とする電気錠取付構造。
【請求項２】
前記板スペーサは前記回転軸に貫通される形状であり、
前記板スペーサ及び接続アダプタは、板スペーサと接続アダプタとの間、及び板スペーサ同士を嵌合する嵌合部を有することを特徴とする請求項１に記載の電気錠取付構造。
【請求項３】
前記板スペーサは、弾性体を少なくとも１枚を有することを特徴とする請求項１又は請求項２に記載の電気錠取付構造。
【請求項４】
前記回転軸の根元部に外ネジ又は内ネジが形成された筒状固定部を有する前記接続アダプタと、
前記筒状固定部と螺合する回転スペーサと、を備え、
前記回転スペーサの回転位置によって前記接続アダプタと取付金具との取付間隔長を調整することを特徴とする請求項１乃至請求項３のいずれか一項に記載の電気錠取付構造。
【請求項５】
前記回転スペーサを前記接続アダプタに対して回り止めするための回り止めネジと、前記取付金具を前記接続アダプタに取り付けるための取付ネジとを共用したことを特徴とす
る請求項４に記載の電気錠取付構造。
【発明の詳細な説明】
【技術分野】
【０００１】
本発明は、電動サムターンを扉に取り付ける電気錠取付構造に関する。
【背景技術】
【０００２】
従来から、電動サムターンを扉に取り付ける電気錠取付構造（以下、取付構造と略す）が知られている。この電動サムターンは、防犯性や耐荷重製が要求されるために、扉に強固に取り付けなければならない。図８、及び図９は、このような取付構造の一構成を示す。取付構造１０１は、扉２の内部空間に固定された錠前３と、錠前３の施錠を開閉する回転軸４１を有する接続アダプタ４と、回転軸４１を電動により回転させる電動サムターン５と、扉２の屋内側面２１に当接された状態で接続アダプタ４に取付けられる取付金具６と、接続アダプタ４と取付金具６との間の空間を埋めるスペーサ１０７を備えている。また、扉２の屋外側面２２には、錠前３に接続されてシリンダ錠８が配設されており、鍵８１によっても錠前３の施錠を開閉することができる。
【０００３】
錠前３は、扉２の中に設けられたフレーム（図示なし）に固定されており、デッドボルト３１をフロント板３２の開口部３３から出没させて、施錠、開錠を行なう。接続アダプタ４は、錠前３にネジ（図示なし）で接続されている。接続アダプタ４の回転軸４１が回転すると、錠前３のレバー（図示なし）が移動し、デッドボルト３１を開口部３３から出没させる。
【０００４】
電動サムターン５はスイッチ（図示なし）や外部からの信号に応じて、電動によって回転軸４１を回転させる。取付金具６は、中央に回転軸４１を貫通させる穴を有しており、取付ネジ６２によって接続アダプタ４に取り付けられる。取付ネジ６２は、取付金具６の貫通穴６１と、スペーサ１０７の貫通穴１０７１とを貫通し、接続アダプタ４のネジ穴４２に螺入される。これにより、取付金具６は、スペーサ１０７を介して接続アダプタ４とによって扉２を挟持する。また、取付金具６は、上下に延出した部分を屋内側に屈曲し、その屈曲した部分に貫通穴６３を有している。サムターン固定ネジ６４は、貫通穴６３を貫通してネジ穴５１に螺入され、取付金具６が電動サムターン５を保持する。このように、取付金具６と接続アダプタ４とによって扉２を挟持することにより、電動サムターン５と扉２とのガタツキをなくし、電動サムターン５を錠前３に強固に取り付けることができる。
【０００５】
このような取付構造１０１においては、スペーサ１０７の厚みは、接続アダプタ４と取付金具６との取付間隔長に合わさなければならない。スペーサ１０７の厚みが厚いと、取付金具６と扉２の屋内側面２１との間に隙間が生じ、電動サムターン５を強固に固定することができない。また、スペーサ１０７の厚みが薄いと取付金具６とスペーサ１０７の間に空間が生じるので、取付ネジ６２で締めて取付金具６を固定しようとして、無理に取付ネジ６２を締めると扉が変形する。しかしながら、扉２の厚みは、扉２によって大きく異なるために、接続アダプタ４と取付金具６との取付間隔長も扉２によって異なっている。このために、取付間隔長に応じた種々の厚みのスペーサ１０７を用意しなければならず、また、取付間隔長に合ったスペーサ１０７を選択するのに手間がかかる。
【０００６】
また、スペーサをネジ式にして接続アダプタと取付金具との取付間隔長を調整する取付構造が知られている。図１０は、そのような取付構造の一構成を示す。接続アダプタ４は、回転軸４１の根元部に外ネジが形成された筒状固定部４３を有しており、筒状固定部４３の外ネジに螺合される回転スペーサ１７３が配設されている。回転スペーサ１７３を回転させて接続アダプタ４と取付金具６との取付間隔長を調整することができる。しかしながら、この種の取付構造１０１においては、電動サムターン５を取り付けるのに、目分量で位置を調整した回転スペーサ１７３を回り止めネジ１７６で仮止めしてから接続アダプタ４を錠前３を取り付けて、回転スペーサ１７３の位置が扉２の屋内側面２１と合っているかを確認し、その後に接続アダプタ４を錠前３から取り外して回り止めネジ１７６を本締めし、再度接続アダプタ４を錠前３に取り付けなければならず、回転スペーサ１７３の位置調整に手間がかかる。
【０００７】
また、スペーサを用いずにサムターンを直接、錠前に取り付ける錠取付構造が知られている（例えば特許文献１参照）。
【０００８】
しかしながら、特許文献１に示されるような錠取付構造においては、扉の厚みに応じたサムターンを揃えなければならず、コスト高となる。
【特許文献１】特開２００７−０４６２７２号公報
【発明の開示】
【発明が解決しようとする課題】
【０００９】
本発明は、上記問題を解消するものであり、電動サムターンを錠前に強固に、かつ、容易に取り付けることができる取付構造を提供することを目的とする。
【課題を解決するための手段】
【００１０】
上記目的を達成するために請求項１の発明は、扉の内部空間に固定された錠前と、該錠前に接続され該錠前の施錠を開閉する回転軸を有する接続アダプタと、前記回転軸と嵌合し、前記回転軸を電動により回転させる電動サムターンと、前記電動サムターンを保持するために、前記回転軸に貫通させ、かつ、扉の屋内側面に当接された状態で前記接続アダプタに取付けられる取付金具と、を備えた電気錠取付構造において、前記接続アダプタは、前記扉の内部空間に固定され、前記接続アダプタと取付金具との間であって前記扉の内部空間に、それらの取付間隔長に応じて複数枚の板スペーサを介在させ、該取付間隔長を調整したものである。
【００１１】
請求項２の発明は、請求項１に記載の電気錠取付構造において、前記板スペーサは前記回転軸に貫通される形状であり、前記板スペーサ及び接続アダプタは、板スペーサと接続アダプタとの間、及び板スペーサ同士を嵌合する嵌合部を有するものである。
【００１２】
請求項３の発明は、請求項１又は請求項２に記載の電気錠取付構造において、前記板スペーサは、弾性体を少なくとも１枚を有するものである。
【００１３】
請求項４の発明は、請求項１乃至請求項３のいずれか一項に記載の電気錠取付構造において、前記回転軸の根元部に外ネジ又は内ネジが形成された筒状固定部を有する前記接続アダプタと、前記筒状固定部と螺合する回転スペーサと、を備え、前記回転スペーサの回転位置によって前記接続アダプタと取付金具との取付間隔長を調整するものである。
【００１４】
請求項５の発明は、請求項４に記載の電気錠取付構造において、前記回転スペーサを前記接続アダプタに対して回り止めするための回り止めネジと、前記取付金具を前記接続アダプタに取り付けるための取付ネジとを共用したものである。
【発明の効果】
【００１５】
請求項１の発明によれば、複数毎の板スペーサによって接続アダプタと取付金具との間の取付間隔長を調整することができるので、電動サムターンを錠前に強固に、かつ、容易に取り付けることができる。
【００１６】
請求項２の発明によれば、板スペーサ同士、及び板スペーサと接続アダプタとが嵌合し、板スペーサが落下し難いので、電動サムターン取り付けの施工作業が容易になる。
【００１７】
請求項３の発明によれば、板スペーサの厚み以下の隙間を弾性体の板スペーサによって埋めることができ、扉表面の微小な歪の発生を防ぐことができるので、意匠性を損なわずに電動サムターンを錠前に強固に取り付けることができる。
【００１８】
請求項４の発明によれば、板スペーサの厚み以下の隙間を回転スペーサによって埋めることができるので、請求項３と同様の効果を得ることができる。
【００１９】
請求項５の発明によれば、ネジを共用するので、部品点数が削減され、低コストになると共に、電動サムターン取り付けの施工作業が容易になる。
【発明を実施するための最良の形態】
【００２０】
（第１の実施形態）
本発明の第１の実施形態に係る電気錠取付構造について図１（ａ）、（ｂ）及び図２（ａ）、（ｂ）を参照して説明する。電気錠取付構造（以下、取付構造と略す）の分解状態を図１（ａ）に、扉に取り付けられた状態を図１（ｂ）に、取付構造の断面を図２（ａ）、（ｂ）にそれぞれ示す。取付構造１は、扉２の内部空間に固定された錠前３と、錠前３の施錠を開閉する回転軸４１を有する接続アダプタ４と、回転軸４１を電動により回転させる電動サムターン５と、扉２の屋内側面２１に当接された状態で接続アダプタ４に取り付けられる取付金具６と、を備えている。また、取付構造１は、接続アダプタ４と取付金具６との間に、それらの取付間隔長に応じて選択された厚さの複数枚の板スペーサ７を備えている。扉２の屋外側面２２には錠前３に接続されて、シリンダ錠８が配設されており、鍵８１によっても錠前３の施錠を開閉することができる。
【００２１】
錠前３は、扉２の中に設けられたフレーム（図示なし）に固定されており、デッドボルト３１をフロント板３２の開口部３３から、扉枠２３に設けられたストライカ２４に出没させて、施錠、開錠を行なう。接続アダプタ４は、錠前３にネジ（図示なし）で固定されている。接続アダプタ４の回転軸４１が回転すると、錠前３のレバー（図示なし）が移動し、デッドボルト３１を開口部３３から出没させる。
【００２２】
電動サムターン５はスイッチ（図示なし）や外部からの信号に応じて、電動によって回転軸４１を回転させるもので、取付金具６にサムターン固定ネジ６３により固定される。取付金具６は、接続アダプタ４のネジ穴４２に螺入する取付ネジ６２を貫通させる貫通穴６１を有しており、取付ネジ６２によって、接続アダプタ４に取り付けられる。このとき、取付金具６は、板スペーサ７を介し接続アダプタ４とによって扉２を挟持する。また、取付金具６は、上下に延出した部分を屋内側に屈曲し、その屈曲した部分に貫通穴６３を有している。サムターン固定ネジ６４は、貫通穴６３を貫通してネジ穴５１に螺入され、取付金具６が電動サムターン５を保持する。
【００２３】
板スペーサ７は、種々の板厚のものがあり、接続アダプタ４と取付金具６との間の取付間隔長に応じて組み合わせて取り付けられる。例えば、厚みの厚いものと薄いものの２種類があって、組み合わせることにより少ない種類で、どのような取付間隔長にも容易に対応することができる。また、板スペーサ７は、同一の厚さのものを複数枚重ねて使用してもよい。板スペーサ７の形状は、中央に回転軸４１を貫通させる穴を有したリング形状である。また、対向して延出した２本の延出部７１を上下方向に有しており、取付ネジ６２を２本の延出部７１の間に通す。なお、図２（ａ）、（ｂ）において、シリンダ錠８の図示を省略している。
【００２４】
電動サムターン５の錠前３への取付方法を以下に説明する。まず、接続アダプタ４が、錠前３にネジ（図示なし）によって接続される。続いて、接続アダプタ４から扉２の屋内側面２１までの取付間隔長に応じて複数の板スペーサ７が重ねられ、接続アダプタ４の回転軸４１を貫通させてセットされる。このとき、板スペーサ７の面と屋内側面２１との間に段差が生じないように、板スペーサ７が選択される。続いて、取付金具６が、その中心穴に回転軸４１を貫通させ屋内側面２１に当接された状態にて、取付ネジ６２が取付金具６の貫通穴６１を通して接続アダプタ４のネジ穴４２に螺入される。これにより、取付金具６は接続アダプタ４に取り付けられる。
【００２５】
続いて、電動サムターン５が回転軸４１に嵌合され、サムターン固定ネジ６３によって取付金具６に保持される。このように、板スペーサ７によって接続アダプタ４と取付金具６との間の取付間隔長を調整することができるので、電動サムターン５と扉２とのガタツキをなくし、電動サムターン５を錠前３に強固に、かつ、容易に取り付けることができる。
【００２６】
次に、本実施形態に係る取付構造の第１の変形例について図３（ａ）及び（ｂ）を参照して説明する。図３（ａ）及び（ｂ）は、接続アダプタ４と板スペーサ７の断面を示す。本変形例では、接続アダプタ４と板スペーサ７は、それぞれが接触する面に互いを嵌合する嵌合部７２を有している。嵌合部７２は、例えば、図３（ａ）に示すように互いを係止するような鉤形状をしている。また、図３（ｂ）に示すように一方の面に凸形状が形成されており、他方の面に凹形状が形成されていてもよい。このような嵌合部７２を有することにより、板スペーサ７同士、及び板スペーサ７と接続アダプタ４とが嵌合し、板スペーサが落下し難いので、電動サムターン取り付けの施工作業が容易になる。
【００２７】
次に、本実施形態に係る取付構造の第２の変形例について図４（ａ）及び（ｂ）を参照して説明する。本変形例では、板スペーサ７が非弾性体の非弾性スペーサ７ａと、弾性体の弾性スペーサ７ｂ（弾性体）とより成っている。弾性スペーサ７ｂは、種々の厚みのものがある。弾性体の材質は、例えばゴムや樹脂である。このように、板スペーサ７が弾性スペーサ７ｂを有しているので、非弾性スペーサ７ａと取付金具６との間に生じた非弾性スペーサ７ａの厚み以下の隙間を、隙間に応じた弾性スペーサ７ｂによって無くすことができる。このことにより、扉表面の微小な歪の発生を防ぐことができるので、意匠性を損なわずに電動サムターンを錠前に強固に取り付けることができる。また、板スペーサ７は、全てが弾性スペーサ７ｂであってもよい。非弾性スペーサ７ａと弾性スペーサ７ｂとにより成っている場合と同様の効果を得ることができる。
【００２８】
（第２実施形態）
第２の実施形態に係る取付構造について図５及び図６（ａ）、（ｂ）、（ｃ）を参照して説明する。取付構造１は、前記第１の実施形態においては、上記取付間隔長の調整のために、板スペーサ７のみを用いたのに対し、さらに、回転スペーサ７３を備えている。また、接続アダプタ４は、回転軸４１の根元部に外ネジが形成された筒状固定部４３を有し、この筒状固定部４３の外ネジに回転スペーサ７３が螺合され、さらに回転スペーサ７３の屋内側に板スペーサ７が配設されている。回転スペーサ７３の回転位置と、適宜選択される枚数の板スペーサ７とによって接続アダプタ４と取付金具６との取付間隔長が調整される。回転スペーサ７３は、円周上に回転スペーサ７３の回り止めをするための回り止めネジ７６を貫通させる複数の貫通穴７４と、取付ネジ６２を螺入させる取付ネジ穴７５とを有している。
【００２９】
電動サムターン５の錠前３への取付方法を以下に説明する。まず、接続アダプタ４が、錠前３にネジ（図示なし）によって固定され、さらに、回転スペーサ７３が筒状固定部４３に螺合される。続いて、複数の板スペーサ７が重ねられ、接続アダプタ４の回転軸４１を貫通させて取り付けられる。取り付けられた回転スペーサ７３の回転位置と、板スペーサ７の選択によって、接続アダプタ４から扉２の屋内側面までの取付間隔長が調整される。このとき、回転スペーサ７３の回転位置は、貫通穴７４が接続アダプタ４の上下のネジ穴４２の位置に合うように決められる。
【００３０】
続いて、一旦、板スペーサ７は取り外され、回り止めネジ７６が貫通穴７４を貫通してネジ穴４２に螺入され、回転スペーサ７３が固定される。続いて、板スペーサ７が取り付けられ、取付金具６が屋内側面２１に当接される。さらに、取付ネジ６２が取付金具６の貫通穴６１を通して回転スペーサ７３の取付ネジ穴７５へ螺入され、取付金具６が取り付けられる。続いて、電動サムターン５が回転軸４１に嵌合され、サムターン固定ネジ６３によって取付金具６に保持される。このように、板スペーサ７の厚み以下の隙間を回転スペーサ７３によって無くすことができ、扉表面の微小な歪の発生を防ぐことができるので、意匠性を損なわずに電動サムターンを錠前に強固に取り付けることができる。
【００３１】
次に、本実施形態に係る取付構造の変形例について図７（ａ）、（ｂ）、（ｃ）を参照して説明する。本変形例では、第２の実施形態の回り止めネジ７６と取付ネジ６２とを共用した取付ネジ６２Ａとしている。回転スペーサ７３は、円周上に複数の貫通穴７４を有しており、上述した第２の実施形態のような取付ネジ穴７５を有していない。また、取付金具６の貫通穴６１は、貫通穴７４に対応した位置に開けられている。取付ネジ６２Ａは、貫通穴６１と貫通穴７４とを貫通して接続アダプタ４のネジ穴４２に螺入され、取付金具６が接続アダプタ４に取り付けられる。このように、回り止めネジと取付ネジとを共用した取付ネジ６２Ａを用いるので、部品点数が削減され、低コストになると共に、電動サムターン５の取り付けが容易になる。
【００３２】
なお、本発明は、上記各種実施形態の構成に限られず、発明の趣旨を変更しない範囲で種々の変形が可能である。例えば、板スペーサの形状は、リング形状でなく、Ｃ字型形状やＵ字型形状でもよく、また、延出部を有さない円形状や、四角形状でもよい。延出部を有するのと同様の効果を得ることができる。
【図面の簡単な説明】
【００３３】
【図１】（ａ）は本発明の第１の実施形態に係る電気錠取付構造の分解斜視図、（ｂ）は扉に取り付けた同取付構造の正面図。
【図２】（ａ）は同取付構造の断面図、（ｂ）は同取付構造の分解断面図。
【図３】（ａ）（ｂ）はそれぞれ同取付構造の第１の変形例による接続アダプタと板スペーサの断面図。
【図４】（ａ）は同取付構造の第２の変形例による断面図、（ｂ）は同変形例の分解断面図。
【図５】は本発明の第２の実施形態に係る電気錠取付構造の分解斜視図。
【図６】（ａ）は同取付構造の断面図、（ｂ）は同取付構造の分解断面図、（ｃ）は同取付構造の回転スペーサの正面図。
【図７】（ａ）は同取付構造の変形例の断面図、（ｂ）は同変形例の分解断面図、（ｃ）は同変形例による回転スペーサの正面図。
【図８】は従来の電気錠取付構造の分解斜視図。
【図９】（ａ）は同取付構造の断面図、（ｂ）は同取付構造の分解断面図。
【図１０】（ａ）は従来の電気錠取付構造の断面図、（ｂ）は同取付構造の分解断面図。
【符号の説明】
【００３４】
１  電気錠取付構造
２  扉
２１  屋内側面
３  錠前
４  接続アダプタ
４１  回転軸
４３  筒状固定部
５  電動サムターン
６  取付金具
６２  取付ネジ
６２Ａ  （共用した）取付ネジ
７  板スペーサ
７２  嵌合部
７３  回転スペーサ
７６  回り止めネジ
７ｂ  弾性スペーサ（弾性体）
【図１】
0005047819.tif 000002
【図２】
0005047819.tif 000003
【図３】
0005047819.tif 000004
【図４】
0005047819.tif 000005
【図５】
0005047819.tif 000006
【図６】
0005047819.tif 000007
【図７】
0005047819.tif 000008
【図８】
0005047819.tif 000009
【図９】
0005047819.tif 000010
【図１０】
0005047819.tif 000011